(57)【要約】【課題】電磁弁１において、シャフト９と軸受部材１０との間の摺動抵抗を安定させることにある。【解決手段】軸受部材１０は、内周面１８に形成された突出部１９によりシャフト９を軸方向に摺動自在に保持し、外周面２０に対する突出部１９の当接面２１は、凸曲面状に設けられている。これにより、凸曲面状の当接面２１によりシャフト９が支持されるので、シャフト９が傾いても外周面２０と当接面２１との接触状態は変動しない。このため、シャフト９と軸受部材１０との間の摺動抵抗を安定させることができる。【選択図】図２
2008196643.tif 000002
【特許請求の範囲】
【請求項１】
ソレノイドコイルへの通電により軸方向に変位するプランジャと、
このプランジャと一体的かつ同軸的に設けられるシャフトと、
このシャフトを軸方向に摺動自在に保持する軸受部材とを備える電磁弁において、
前記軸受部材は、内径側に突出する突出部により前記シャフトを軸方向に摺動自在に保持し、
前記シャフトの外周面に対する前記突出部の当接面が凸曲面状に設けられていることを特徴とする電磁弁。
【請求項２】
請求項１に記載の電磁弁において、
前記軸受部材は、前記突出部の反プランジャ側の内周面に凹部を有することを特徴とする電磁弁。
【請求項３】
請求項１又は請求項２に記載の電磁弁において、
前記軸受部材は、前記プランジャと軸方向に対向配置されるステータであることを特徴とする電磁弁。
【発明の詳細な説明】
【技術分野】
【０００１】
本発明は、電磁弁に関する。
【背景技術】
【０００２】
従来より、ソレノイドコイルへの通電により軸方向に変位するプランジャと、プランジャと一体的かつ同軸的に設けられるシャフトとを備え、プランジャ及びシャフトの変位によって、弁体を軸方向に変位させる電磁弁が公知である。
【０００３】
従来の電磁弁１００には、例えば、図３に示すように、シャフト１０１が軸受部材１０２により摺動自在に保持されるものがある。このように、シャフト１０１を軸受部材１０２で保持する電磁弁１００には、軸受部材１０２がステータをなすものや（特許文献１参照）、軸受部材１０２がステータと別体に設けられ、ステータに圧入されているものがある（特許文献２参照）。
【０００４】
ところで、従来の電磁弁１００では、軸受部材１０２の内周面１０３は、軸方向の両端でエッジ１０４を形成しているため（図３（ａ）参照）、シャフト１０１の傾きに応じて、シャフト１０１の外周面１０５とエッジ１０４との接触状態が変動し、シャフト１０１と軸受部材１０２との間の摺動抵抗がばらつく。そこで、エッジ１０４をＲ形状に加工することにより外周面１０５とエッジ１０４との接触を回避する技術が提案されている（図３（ｂ）参照）。しかし、この技術でも、Ｒ形状の部分とストレート形状の部分との境界点が外周面１０５に接触するため、シャフト１０１と軸受部材１０２との間の摺動抵抗が安定しない。
【特許文献１】特許第２８４１８９１号公報
【特許文献２】特開平０９−１６６２３８号公報
【発明の開示】
【発明が解決しようとする課題】
【０００５】
本発明は上記の問題点を解決するためになされたものであり、その目的は、電磁弁において、シャフトと軸受部材との間の摺動抵抗を安定させることにある。
【課題を解決するための手段】
【０００６】
〔請求項１の手段〕
請求項１に記載の電磁弁は、ソレノイドコイルへの通電により軸方向に変位するプランジャと、このプランジャと一体的かつ同軸的に設けられるシャフトと、このシャフトを軸方向に摺動自在に保持する軸受部材とを備え、軸受部材は、内径側に突出する突出部によりシャフトを軸方向に摺動自在に保持する。そして、シャフトの外周面に対する突出部の当接面が凸曲面状に設けられている。
【０００７】
これにより、凸曲面状の当接面によりシャフトが支持されるので、シャフトが傾いてもシャフトの外周面と軸受部材の当接面との接触状態は変動しない。このため、シャフトと軸受部材との間の摺動抵抗を安定させることができる。
【０００８】
〔請求項２の手段〕
請求項２に記載の電磁弁によれば、軸受部材は、突出部の反プランジャ側の内周面に凹部を有する。
これにより、潤滑油を凹部に溜めることができるので、シャフトの外周面と軸受部材の内周面との間の潤滑状態を良好に維持することができる。
【０００９】
〔請求項３の手段〕
請求項３に記載の電磁弁によれば、軸受部材は、プランジャと軸方向に対向配置されるステータである。
これにより、軸受部材とステータとを一体化して、部品点数を削減することができる。
【発明を実施するための最良の形態】
【００１０】
最良の形態１の電磁弁は、ソレノイドコイルへの通電により軸方向に変位するプランジャと、このプランジャと一体的かつ同軸的に設けられるシャフトと、このシャフトを軸方向に摺動自在に保持する軸受部材とを備え、軸受部材は、内径側に突出する突出部によりシャフトを軸方向に摺動自在に保持する。また、シャフトの外周面に対する突出部の当接面が凸曲面状に設けられている。
また、軸受部材は、突出部の反プランジャ側の内周面に凹部を有する。
また、軸受部材は、プランジャと軸方向に対向配置されるステータである。
【実施例１】
【００１１】
〔実施例１の構成〕
実施例１の電磁弁１の構成を、図１及び図２を用いて説明する。
電磁弁１は、スリーブ２の内部に、弁体として機能するスプール３を摺動自在に支持し、電磁ソレノイド部４によりスプール３を駆動して、流路の開閉調節等を行うものであり、オートマチックトランスミッションにおける供給油圧を操作するために用いられる。
【００１２】
また、電磁ソレノイド部４は、ソレノイドコイル７への通電により軸方向に変位するプランジャ８と、プランジャ８と一体的かつ同軸的に設けられるシャフト９と、シャフト９を軸方向に摺動自在に保持する軸受部材１０とを備える。
なお、軸受部材１０は、プランジャ８の一端側に対向配置されるステータとしても機能する。
【００１３】
そして、ソレノイドコイル７が通電を受けると、プランジャ８は、ステータとして機能する軸受部材１０、ヨーク１３及び他端側の磁性部材１４と共に磁気回路を形成し、一端側に変位する。そして、シャフト９がプランジャ８と一体的に変位し、シャフト９に当接されるスプール３が一端側に変位する。
また、ソレノイドコイル７への通電が停止されると、スプリング１５の付勢力により、スプール３、シャフト９及びプランジャ８が他端側に変位する。
【００１４】
次に、軸受部材１０について詳述する。
軸受部材１０は、他端側の内周面１８に、内径側に突出する突出部１９が環状に形成されており、突出部１９によりシャフト９を軸方向に摺動自在に保持する。また、シャフト９の外周面２０に対する突出部１９の当接面２１は、凸曲面状に設けられている。また、内周面１８には、突出部１９の一端側（つまり、反プランジャ側）に外周側に窪む凹部２２が環状に形成されている。
【００１５】
〔実施例１の効果〕
実施例１の電磁弁１によれば、軸受部材１０は、内周面１８に形成された突出部１９によりシャフト９を軸方向に摺動自在に保持し、外周面２０に対する突出部１９の当接面２１は、凸曲面状に設けられている。
これにより、凸曲面状の当接面２１によりシャフト９が支持されるので、シャフト９が傾いても外周面２０と当接面２１との接触状態は変動しない。このため、シャフト９と軸受部材１０との間の摺動抵抗を安定させることができる。
【００１６】
また、内周面１８には、突出部１９の一端側に外周側に窪む凹部２２が環状に形成されている。これにより、潤滑油を凹部２２に溜めることができるので、外周面２０と内周面１８との間の潤滑状態を良好に維持することができる。
また、実施例１の軸受部材１０は、プランジャ８と共に磁気回路を形成するステータとしても機能するため、軸受部材１０とステータとを一体化して、部品点数を削減することができる。
【００１７】
〔変形例〕
実施例１によれば、軸受部材１０はステータとしても機能するものであったが、軸受部材１０をステータと別体に設け、ステータに圧入させてもよい。
【図面の簡単な説明】
【００１８】
【図１】電磁弁の全体構成図である（実施例１）。
【図２】軸受部材によるシャフトの支持状態を示す説明図である（実施例１）。
【図３】軸受部材によるシャフトの支持状態を示す説明図である（従来例）。
【符号の説明】
【００１９】
１    電磁弁
４    電磁ソレノイド部
７    ソレノイドコイル
８    プランジャ
９    シャフト
１０  軸受部材
１８  内周面
１９  突出部
２０  外周面
２１  当接面
２２  凹部
【図１】
2008196643.tif 000003
【図２】
2008196643.tif 000004
【図３】
2008196643.tif 000005